(57)【特許請求の範囲】
【請求項１】
所要の厚みを有する板状体からなる金具主体の前縁部に、下部に係合部を有する軸部材を突出形成し、前記軸部材の先端面に、下部に係合部を有する係止部材を装着するとともに、前記係合部同士を相互に連通させ、
前記金具主体の中央部に透孔からなる把持部を形成し、前記金具主体の後方側の上縁部および下縁部近傍には、それぞれピン挿通用の挿通部を同一線上に形成し、
前記上縁部および下縁部近傍に形成されたピン挿通用の挿通部とは異なる部位に、せん断応力に抗する軸部材の挿通部を形成したこと
を特徴とする軸組金具。
【請求項２】
前記軸部材の挿通部は、
前記把持部の後縁部近傍であること
を特徴とする請求項１に記載の軸組金具。
【請求項３】
前記軸部材の挿通部の開口部は、
前記金具主体の表面と同一表面上に開口していること
を特徴とする請求項１又は２に記載の軸組金具。
【発明の詳細な説明】
【技術分野】
【０００１】
この発明は、戸建て住宅などの木造建築に使用される軸組金具に関するもので、軸組金具に作用するせん断破壊に対応することができるものである。
【背景技術】
【０００２】
木造建築に使用される軸組金具として、例えば、特許第３９９６３４３号公報（特許文献１）においては、
互いに交差し合って軸組固定される柱状の受部材及び梁状の交差部材と、両部材間にあって両部材を互いに係止固定せしめる軸組フックとを備え、前記軸組フックが受部材内に挿入係止されて受部材側に軸組フック自体を係着せしめる係止フックと、上記係着状態で受部材の軸組面より突出して交差部材の木口側を受け止めて係止する受けフックとを備えてなる構造において、
前記受部材内に挿入され、その挿入端側が受部材内部で前記係止フックと係脱可能に係止されることにより、前記受けフックが交差部材を受け止めた際に、受部材の前記軸組面の反対側からの支持反力を補うように牽引作用をする補強連結具を設け、
該補強連結具が棒状のピンからなり、
係止フックに係止される係止部が、ピンの端部周面に形成され係止フックを収容係止する溝状の係止部である
建築用軸組構造が提案されている。
【先行技術文献】
【特許文献】
【０００３】
【特許文献１】特許第３９９６３４３号公報（請求項１，図３〜４）
【発明の概要】
【発明が解決しようとする課題】
【０００４】
特許文献１に記載の軸組具は、軽量で強度のあるアルミ合金等の金属又はＦＲＰ等の合成樹脂成形品からなるもので、板状の受けフックと係止フック及び両者間に一体的に設けられるキー部とで構成されている。【０００５】
前記受けフックは、上部先端位置には先端側内面が傾斜し、底部がピンの周面と一致するアールをなすＶ字形の係合溝を形成するとともに、前記係合溝の下方位置の受けフック下部には、同じくピンを挿通嵌合せしめるピン孔が穿設されている。【０００６】
すなわち、前記軸組具は、一部に持ち運びを容易にする透孔からなる把持部を形成し、板状の受けフックの後部の上縁部を、下方にＵ字状に切欠いてピン保持部を形成するとともに、その直下の底部周縁部に、前記ピン保持部と同一線に位置するようピン孔が形成されたものでる。【０００７】
しかしながら、前記受けフックは、その外周をやや厚肉で板状の周縁部を形成し、その内部は薄肉のリブ状に形成されるとともに、基端部寄りには指を通して持ち易くなるように把持孔を形成して全体として軽量化を図るとともに、その周縁部のみ所定の厚みを確保することでフックの強度を保持しているとしているが、受けフックに作用するせん断破壊については、なんら考慮されていない。
そのため、前記受けフックにせん断変形が生じた場合には、前記受けフックが容易に損傷し、受けフックの作用効果を奏しないおそれがある。【０００８】
この発明はかかる現状に鑑み、例えば、木造建築物の柱に対し、公知の軸組金具を使用して梁材を連結するに際し、前記梁材にせん断変形が作用しても、当該せん断変形による負荷を吸収することのできる軸組金具を、提供することを目的としたものである。
【課題を解決するための手段】
【０００９】
前記目的を達成するため、この発明の軸組金具は、
所要の厚みを有する板状体からなる金具主体の前縁部に、下部に係合部を有する軸部材を突出形成し、前記軸部材の先端面に、下部に係合部を有する係止部材を装着するとともに、前記係合部同士を相互に連通させ、
前記金具主体の中央部に透孔からなる把持部を形成し、前記金具主体の後方側の上縁部および下縁部近傍には、それぞれピン挿通用の挿通部を同一線上に形成し、
前記上縁部および下縁部近傍に形成されたピン挿通用の挿通部とは異なる部位に、せん断応力に抗する軸部材の挿通部を形成したこと
を特徴とするものである。【００１０】
この発明の請求項２に記載の発明は、
請求項１に記載の軸組金具において、
前記軸部材の挿通部は、
前記把持部の後縁部近傍であること
を特徴とするものである。【００１１】
この発明の請求項３に記載の発明は、
請求項１又は２に記載の軸組金具において、
前記軸部材の挿通部の開口部は、
前記金具主体の表面と同一表面上に開口していること
を特徴とするものである。
【発明の効果】
【００１２】
この発明にかかる軸組金具は、当該軸受金具を構成する金具主体を、梁状の交差部材に装着して使用するに際し、前記金具主体の後縁部側に設けられた上下一対のピン挿通用の挿通孔の形成位置とは異なる位置に、第３の軸部材の挿通孔を形成している。
したがって、前記金具主体が装着される交差部材が何らかの理由でせん断力を受け、金具主体にせん断応力が負荷されても、金具主体が損壊するおそれがなく、柱材と梁材との間の引き抜き強度を増大させることができる。
その結果、交差部材を確実に受部材に対し、常に正しい位置に保持することができる。
【図面の簡単な説明】
【００１３】
【図１】この発明にかかる軸受金具の一例を示す正面図である。
【図２】図１に示す軸受金具の要部を示す一部切欠き平面図である。
【図３】図１に示す軸受金具の側面図である。
【図４】図１に示す軸受金具の使用状態の一例を示す正面図である。
【図５】この発明にかかる軸受金具の他の例を示す正面図である。
【図６】この発明の軸受金具の使用に際して用いるスペーサの斜視図である。
【図７】図６に示すスペーサの側面図である。
【図８】この発明の軸受金具の使用に際して用いる他の軸部材の正面図である。
【発明を実施するための形態】
【００１４】
以下、この発明にかかる軸受金具の実施例を図面に基づいて説明する。
なお、この発明は以下に述べる実施例にのみ限定されるものではなく、発明の要旨を変更しない範囲内において、自由に改良を加えることができるものである。
【００１５】
この発明の軸受金具１は、所要の厚みを有する金具主体２の前縁部の、上端部から所要間隔を存した位置に柱状の軸部材３を一体的に突出形成し、この軸部材３の先端部に楕円形からなる板状の係止部材４の裏面中央部を設けるとともに、その下方の前縁部に楕円形状のキー部材５の裏面中央部を設けたものである。
なお、前記キー部材５は、前記軸受金具１に下向きの負荷が作用した場合に、後述の柱部材９の空隙部１１と当接して、軸受金具１を所定の位置に保持するためのものである。
【００１６】
前記軸部材３および係止部材４は、いずれもその下部に、後述する固定部材１３の先端部近傍に形成されたリング状の係合溝１３ｂと係合する、係合部３ａと４ａを同軸上に有するものである。
【００１７】
前記金具主体２は、その後部側に上縁部にＵ字状の切込みを形成して、固定用のピン６ａを支持するためのピン挿通部６を形成するとともに、その下方の同一線上に位置する金具主体２の下部にも、固定用のピン７ａを挿通するためのピン挿入部７を形成する。
その際、前記金具主体２は、周縁部２ａを残してその中央部に肉薄部２ｂを形成し、当該肉薄部２ｂに所要の大きさの透孔２ｃを形成し、この透孔２ｃの後縁部に沿って、指先を係着させるための波状の把持部２ｄを形成したものである。
前記肉薄部２ｂの形成によって、前記金具主体２は、軽量化を図ることができる。
【００１８】
前記透孔２ｃの後縁部に形成された波状の把持部２ｄの一部には、前記把持部２ｄに近接して、前記固定用のピン６ａや７ａよりも径の太い支軸８ａを挿通するための支軸挿通孔８が形成されている。
この支軸挿通孔８は、その開口周縁部８ａの高さを、前記金具主体２の周縁部２ａの高さと同一としている。
【００１９】
したがって、前記支軸挿通孔８の強度を向上させることができ、前記支軸挿通孔８内に前記ピン挿通部６およびピン挿通部７に挿通するピンより径の太い支軸８ａを挿通させることによって、前記金具主体２に生ずるせん断変形を確実に防止することができる。
さらに、柱材と梁材との間の引き抜き強度を増大させることができる。
【００２０】
かかる構成からなる軸受金具１は、図４に示すように、受部材としての柱部材９の、交差部材としての梁部材１０を装着する部位に、前記金具主体２の前縁部に突設した軸部材３と係止部材４およびキー部材５を受け入れるための空隙部１１を、少なくともその高さが、前記係止部材４の高さよりも高くなるようにして形成する。
【００２１】
前記キー部材５は、前記金具主体２に下方向への負荷が作用した場合、キー部材と５と柱部材９間に圧接による摩擦が発生し、当該金具主体２を所定の部位に保持するものである。
【００２２】
なお、前記梁部材１０は、前記柱部材９と相対する端面の中央部に、前記金具本体２を装着するためのスリット（図示せず）が形成され、当該スリット内に前記前縁部に設けられた軸部材３，係止部材４およびキー部材５を除く金具主体２が挿入され、前記ピン挿通部６およびピン挿通部７に、側面からピン６ａおよび７ａを挿通させることによって、梁部材１０に工程するものである。
【００２３】
一方、前記柱部材９の、梁部材１０の装着部位（正面）と反対側の部位（背面）から、前記空隙部１１の下部に連通する挿通部１２を形成し、この挿通部１２の基端側から軸部材からなる固定部材１３の先端部を挿入する。
前記柱部材９に挿通された固定部材１３は、基端部に形成された板状の係止部１３ａが柱部材９の裏面側に設けられた係合部に固定した状態で、前記固定部材１３の先端部に形成したリング状の係合溝１３ｂを、前記空隙部１１の底部に顕出させる。
【００２４】
ついで、前記空隙部１１内に顕出した係合溝１３ｂに、前記金具主体２の前縁部に設けた係止部材４の係合部４ａおよび軸部材３の係合部３ａを嵌め込み、前記軸部材３および係止部材４の上方に残る空隙部１１内に弾性素材からなるスペーサ１４を嵌め込み、前記金具主体２を柱部材９の正面部に固定する。
【００２５】
前記スペーサ１４は、図６に示すように、弾性を有する樹脂材で、下部が開口する楕円形状のスペーサ本体１４ａの中央部に、上面部から下方に延出する一対の側壁１４ｂ，１４ｂを所要の間隔を存して一体的に形成し、その下端部を前記スペーサ本体１４ａの下端部に連設させたものである。
【００２６】
なお、前記スペーサ本体１４の下部前縁部には、使用時に前記金具主体２の形成された係止部材４の上縁部との接触を回避するため、図７に示すように、切欠き部１４ｄが形成されている。
したがって、装着に際して、スペーサ１４に負荷が作用した場合には、左右の側壁１４ｂ，１４ｂがいずれも内側に移動して形状変化が生じ、負荷を吸収する。
【００２７】
前記固定部材１３は、基端部に円板状の係止部１３ａを、先端側にリング状の係合溝１３ｂを有するもので、用途によっては、図８に示すような固定部材１５を使用する場合がある。
この固定部材１５は、軸主体１５ａの各端部にリング状の係合溝１５ｂ，１５ｂをそれぞれ形成したものである。
【００２８】
なお、図５に示す軸受金具１６は、この発明にかかる他の例を示すもので、同一部位を同一符号で示すが、金具主体２の前縁部に突出形成する軸部材３の位置が前縁部の上端部に位置するものである。
その理由は、図示しないが、柱部材の３面（又は４面）に複数の固定部材を利用して梁部材を装着する際、各軸受金具を固定するための固定部材同士が中央部において交差できず、取付けができない状況を避けるために使用されるものである。
【００２９】
なお、この実施例においては、前記支軸８は、前記固定用のピン６ａやピン７ａよりも径の太いものを使用しているが、同一の径であっても、せん断変形による負荷を吸収することができる。
【００３０】
特に、この発明においては、せん断変形による負荷を吸収するための軸部材を、金具本体２を、梁部材１０に固定するためのピン６ａ，７ａと同一線上に配置しないことによって強度を向上させている。
したがって、求められる強度によって、２本のピンと３本のピンを使い分けることによって、経済性を向上させ、使用するピンの種類を減らし、現場における施工性を向上させることができる。
さらに、木材のピン加工を必要箇所のみとすることで、使用本数の間違いがないものである。
【産業上の利用分野】
【００３１】
この発明にかかる軸受金具は、金具主体を梁部材などに装着するためのピンの挿通孔以外に、金具主体に負荷するせん断応力を吸収してせん断変形することを防止できるので、軸受金具の用途をより拡大させることができる。
【符号の説明】
【００３２】
１      軸受金具
２      金具主体
２ａ    周縁部
２ｂ    肉薄部
２ｃ    透孔
２ｄ    把持部
３      軸部材
３ａ    係合部
４      係止部材
４ａ    係合部
５      キー部材
６，７  ピン挿通部
８      挿通部
８ａ    挿通部の周縁部
９      柱部材
１０    梁部材
１１    空隙部
１２    挿通部
１３    固定部材
１４    スペーサ
１５    固定部材
【要約】
【課題】  木造建築物の柱に対し、公知の軸組金具を使用して梁材を連結するに際し、前記梁材にせん断変形が作用しても、当該せん断変形による負荷を吸収することのできる軸組金具を提供する。
【解決手段】  所要の厚みを有する板状体からなる金具主体２の前縁部に、下部に係合部３ａを有する軸部材３を突出形成し、前記軸部材３の先端面に、下部に係合部４ａを有する係止部材４を装着するとともに、前記係合部３ａ，４ａ同士を連通させ、金具主体２の中央部に透孔２ｃからなる把持部２ｄを形成し、金具主体２の後方側の上縁部および下縁部近傍には、それぞれピンの挿通部７，７を同一線上に形成し、前記上縁部および下縁部に形成されたピンの挿通部６，７とは異なる部位に、せん断応力に抗する軸部材用の軸挿通部８を形成する。
【選択図】      図１【図１】
0005850359.tif 000002
【図２】
0005850359.tif 000003
【図３】
0005850359.tif 000004
【図４】
0005850359.tif 000005
【図５】
0005850359.tif 000006
【図６】
0005850359.tif 000007
【図７】
0005850359.tif 000008
【図８】
0005850359.tif 000009